(57)【要約】【課題】オートクロップ機能で検知した原稿の領域を、ユーザが変更すると、その操作履歴を保持し、蓄積した操作履歴に基づいて、オートクロップ機能で検知した原稿領域を変更することができる画像読取システムを提供することを目的とする。【解決手段】原稿台の原稿の領域を検知し、原稿台の特定の領域を読み取り、上記読み取った結果に基づいて、画像データを生成し、原稿を読み取るための制御パラメータを設定し、この設定した設定の履歴を格納する。また、上記格納した設定履歴を取得し、上記取得した設定履歴に基づいて、原稿を読み取るための制御パラメータを変更する画像読取システムである。【選択図】図１
2008263275.tif 000002
【特許請求の範囲】
【請求項１】
画像読取装置とデータ処理装置とが、所定の通信媒体を介して、通信可能である画像読取システムにおいて、
原稿台の原稿の領域を検知する原稿領域検知手段と；
原稿台の特定の領域を読み取る原稿読取手段と；
上記原稿読取手段が読み取った結果に基づいて、画像データを生成する画像データ生成手段と；
上記原稿読取手段が原稿を読み取るための制御パラメータを設定する制御パラメータ設定手段と；
上記制御パラメータ設定手段が設定した設定の履歴を格納する設定履歴格納手段と；
上記設定履歴格納手段が格納した設定履歴を取得する設定履歴取得手段と；
上記設定履歴取得手段が取得した設定履歴に基づいて、上記原稿読取手段が原稿を読み取るための制御パラメータを変更する制御パラメータ変更手段と；
を有することを特徴とする画像読取システム。
【請求項２】
請求項１において、
上記制御パラメータ設定手段は、上記原稿読取手段が読み取る領域を設定する読取領域設定手段を有する手段であることを特徴とする画像読取システム。
【請求項３】
請求項２において、
上記読取領域設定手段は、
上記原稿領域検知手段が検知した領域に基づいて、上記原稿読取手段が読み取る領域を、自動的に設定する自動読取領域設定手段と；
上記自動読取領域設定手段が設定した読取領域を、ユーザに通知する読取領域通知手段と；
上記自動読取領域設定手段が設定した読取領域を、変更するための自動読取領域変更手段と；
を有する手段であることを特徴とする画像読取システム。
【請求項４】
請求項３において、
上記設定履歴格納手段は、
上記自動読取領域変更手段が読取領域を変更したか否かを判断する自動読取領域変更判断手段と；
上記自動読取領域変更判断手段が判断した判断結果に基づいて、上記原稿領域検知手段が検知した領域と、上記自動読取領域変更手段が変更した読取領域とを対応付けて格納する自動読取領域変更設定履歴格納手段と；
を有する手段であることを特徴とする画像読取システム。
【請求項５】
請求項４において、
上記設定履歴取得手段は、
上記原稿領域検知手段が検知した領域と対応する設定履歴を検索する検知領域対応設定履歴検索手段と；
上記検知領域対応設定履歴検索手段が検索した検索結果に基づいて、設定履歴を取得する検知領域対応設定履歴取得手段と；
を有する手段であることを特徴とする画像読取システム。
【請求項６】
請求項５において、
上記制御パラメータ変更手段は、上記原稿領域検知手段が検知した領域と、上記検知領域対応設定履歴取得手段が取得した設定履歴とに基づいて、上記自動読取領域設定手段が自動的に設定する読取領域を、変更する自動読取領域変更手段を有する手段であることを特徴とする画像読取システム。
【請求項７】
画像読取装置とデータ処理装置とが、所定の通信媒体を介して、通信可能である画像読取システムの制御方法において、
原稿台の原稿の領域を検知する原稿領域検知工程と；
原稿台の特定の領域を読み取る原稿読取工程と；
上記原稿読取工程で読み取った結果に基づいて、画像データを生成する画像データ生成工程と；
上記原稿読取工程で原稿を読み取るための制御パラメータを設定する制御パラメータ設定工程と；
上記制御パラメータ設定工程で設定した設定の履歴を格納する設定履歴格納工程と；
上記設定履歴格納工程で格納した設定履歴を取得する設定履歴取得工程と；
上記設定履歴取得工程で取得した設定履歴に基づいて、上記原稿読取工程で原稿を読み取るための制御パラメータを変更する制御パラメータ変更工程と；
を有することを特徴とする画像読取システムの制御方法。
【発明の詳細な説明】
【技術分野】
【０００１】
本発明は、画像読取システムに関し、特に、画像読取装置が読み取る領域を設定する方法に関する。
【背景技術】
【０００２】
従来、ホストコンピュータとスキャナとの双方を接続する通信インタフェースで構成されている画像読取システムでは、ホストコンピュータ上から、スキャナの画像読み取り動作を制御する。
【０００３】
ホストコンピュータ上で、読取領域を指定すると、指定された領域に基づいて、スキャナが、原稿台の特定の領域を読み取り、読み取った画像データを、ホストコンピュータに転送する。
【０００４】
このような従来の画像読取システムでは、原稿の領域を自動的に検知するオートクロップ機能を備えていることが多い（たとえば、特許文献１参照）。
【０００５】
このようなオートクロップ機能を備えているスキャナでは、原稿台を低解像度で読み取った結果を、ホストコンピュータ上に表示し、検知した原稿の領域を、ユーザに通知する。ホストコンピュータ上で、ユーザが、原稿の領域を確認した上で、読み込みを指示すると、スキャナは、高解像度でその領域を読み取り、取得した画像データをホストコンピュータに転送する。
【特許文献１】特開平０９−１９１３７０号公報
【発明の開示】
【発明が解決しようとする課題】
【０００６】
オートクロップ機能によって原稿の領域を正しく検知できないときに、ユーザは、手動で読取領域を指定する。正しく検知できない原稿として、たとえばフチあり写真があり、オートクロップ機能によって原稿の領域を検知すると、フチを除いた画像領域のみを原稿領域として検知する。このようなフォーマットの原稿では、別の画像でも、上記と同じように、フチを除いた画像領域のみを原稿領域として検知することがある。このような現象が発生する度に、ユーザは、フチを含む領域を、読み込み領域として、手動で指定し直す必要があるという問題がある。
【０００７】
一方、オートクロップ機能によって原稿の領域を正しく検知できるが、ユーザが意識的に、原稿の領域と異なる領域を読み取るように指示する場合もある。たとえば、オートクロップ機能によって、フチあり写真の原稿の領域を、フチを含めて正しく検知できるが、フチを除いた画像領域のみを、ユーザが必要とすることがある。この場合には、ユーザは、フチあり写真を読み込む度に、フチを除いた領域を、読み込み領域として、手動で指定し直す必要があるという問題がある。
【０００８】
本発明は、オートクロップ機能で検知した原稿の領域を、ユーザが変更すると、その操作履歴を保持し、蓄積した操作履歴に基づいて、オートクロップ機能で検知した原稿領域を変更することができる画像読取システムを提供することを目的とする。
【課題を解決するための手段】
【０００９】
本発明は、原稿台の原稿の領域を検知し、原稿台の特定の領域を読み取り、上記読み取った結果に基づいて、画像データを生成し、原稿を読み取るための制御パラメータを設定し、この設定した設定の履歴を格納する。また、本発明は、上記格納した設定履歴を取得し、上記取得した設定履歴に基づいて、原稿を読み取るための制御パラメータを変更する画像読取システムである。
【発明の効果】
【００１０】
本発明によれば、オートクロップ機能で検知した原稿の領域を、ユーザが変更すると、その操作履歴を保持し、蓄積した操作履歴に基づいて、オートクロップ機能で検知した原稿領域を変更することができるという効果を奏する。
【発明を実施するための最良の形態】
【００１１】
発明を実施するための最良の形態は、次の実施例である。
【実施例１】
【００１２】
図１は、本発明の実施例１である画像読取システムＲＳ１の概略構成を示すブロック図である。
【００１３】
画像読取システムＲＳ１は、スキャナ１０とデータ処理装置３０とによって構成されている。
【００１４】
スキャナ１０とデータ処理装置３０とは、インタフェース４０を介して接続される。実施例１において、インタフェース４０として、シリアルインタフェースであるＵＳＢを想定している。インタフェース４０として、ＩＥＥＥ１３９４、Ｅｔｈｅｒｎｅｔ（登録商標）、ＩｒＤＡ、ＩＥＥＥ８０２．１１等を使用するようにしてもよく、また、パラレルインタフェースとして、セントロニクス、ＳＣＳＩ等を使用するようにしてもよい。双方向の通信を実現するものであれば、有線／無線を問わずに、どのようなインタフェースであっても、インタフェース４０として使用するようにしてもよい。
【００１５】
スキャナ１０は、読取部１１と、読取制御部１２と、インタフェース制御部１３とを有する。読取制御部１２は、インタフェース制御部１３を介して、データ処理装置３０から受信した制御パラメータに基づいて、読取部１１を制御し、原稿台の原稿を読み取る。読み取ったデータは、インタフェース制御部１３を介して、データ処理装置３０に転送される。
【００１６】
データ処理装置３０は、情報通知部３１と、中央制御部３２と、インタフェース制御部３３と、入力操作部３４と、スキャナドライバ３５とを有する。
【００１７】
データ処理装置３０として、パーソナルコンピュータ（以下、「ＰＣ」と記す）を想定している。中央制御部３２は、情報通知部３１へのデータ表示や入力操作部３４からのデータ取得等、ＰＣの各種機能を制御する。
【００１８】
スキャナドライバ３５は，中央制御部３２を介して、スキャナ１０の読み取り動作に関する指示を、ユーザから受け、スキャナ１０を制御し、画像をスキャンし、スキャナ１０の状態を取得してユーザに通知する。
【００１９】
図２は、実施例１において、オートクロップ機能によって原稿の領域を検知し、この検知結果に基づいて、読み取る領域を自動的に設定する処理の概略を示す図である。
【００２０】
原稿２０の一例として、フチあり写真が原稿台にセットされている。原稿２０の灰色部分は、写真のフチ領域を示し、斜線部分は、写真の画像領域を示す。
【００２１】
図２（１）は、検知した原稿２０の領域を、ユーザが変更したときに、この変更操作を履歴として保存する処理の概略を示す図である。
【００２２】
フチあり写真の領域を正しく検知できずに（フチを除いた画像領域のみを認識し）、ユーザがフチを含む原稿２０の領域に読み取る領域を変更すると、検知した原稿２０の領域と、ユーザによる変更後の領域とを、操作履歴として保存する。
【００２３】
図２（２）は、検知した原稿２０の領域を、図２（１）における操作履歴に基づいて、変更する処理の概略を示す図である。
【００２４】
検知した原稿２０の領域に対するユーザの操作履歴に基づいて、検知した原稿２０の領域（フチを除いた画像領域）を、フチを含む原稿２０の領域に変更した上で、読み取る領域を設定する。
【００２５】
図３は、スキャナ１０による読み取り動作を制御するパラメータを、ユーザから受け付けるための読み取り設定画面Ｄ１を示す図である。
【００２６】
読み取り設定画面Ｄ１には、原稿台プレビュー画面表示部５０と、原稿２０の種類設定ポップアップメニュー６２と、解像度設定ポップアップメニュー６３と、保存フォルダ設定ポップアップメニュー６４とが表示されている。また、読み取り設定画面Ｄ１には、フォーマット設定ポップアップメニュー６５と、プレビューボタン６６と、読取領域調整ボタン６７と、スキャンボタン６８とが表示されている。
【００２７】
原稿２０の種類設定ポップアップメニュー６２では、読み取る原稿２０の種類として、カラーか白黒かを設定できる。
【００２８】
解像度設定ポップアップメニュー６３では、読み取り解像度として、１００ｄｐｉ、１５０ｄｐｉ、３００ｄｐｉ、６００ｄｐｉ、１２００ｄｐｉを設定できる。
【００２９】
保存フォルダ設定ポップアップメニュー６４では、読み取った原稿２０の保存先を設定できる。
【００３０】
フォーマット設定ポップアップメニュー６５では、読み取った原稿２０のデータを保存するときのフォーマットとして、ＪＰＥＧ、ＴＩＦＦ、ＰＮＧを設定することができる。
【００３１】
プレビューボタン６６を押下すると、スキャナ１０に対して原稿台全領域の読み取りと、原稿２０領域を検知するように指示する。この結果に基づいて、原稿台に置かれた原稿２０の状態を、原稿台プレビュー画面表示部５０に表示する。原稿領域５１を、実線で囲んだ網点で示してある。
【００３２】
原稿認識領域５２は、スキャナ１０が原稿領域を検知した結果、原稿２０であると認識した領域であり、破線で示してある。読取領域５３は、スキャナ１０が原稿２０であると認識した領域に基づいて、スキャナドライバ３５が自動的に設定した読取領域であり、一点鎖線で示してある。
【００３３】
図３に示す実施例１では、原稿認識領域５２が内側に記載され、読取領域５３が外側に記載されているが、原稿認識領域５２が外側に、読取領域５３が内側に設けられていてもよい。また、これら２つの原稿認識領域５２、読取領域５３が、互いに重なっていてもよい。
【００３４】
図３には、実施例１における処理を説明するために、原稿認識領域５２と読取領域５３とが記載されているが、実際の原稿台プレビュー画面表示部５０では、原稿認識領域５２を表示せず、読取領域５３のみが表示される。
【００３５】
読取領域調整ボタン６７を押下すると、読取領域５３をドラッグし、読取領域５３の大きさを変更することができる。スキャンボタン６８を押下すると、読取領域５３を、原稿２０の種類設定ポップアップメニュー６２と解像度設定ポップアップメニュー６３とによって、設定された値に基づいて、読み取るように、スキャナ１０に指示する。読み取った結果を、スキャナ１０から取得すると、フォーマット設定ポップアップメニュー６５で設定された形式で、保存フォルダ設定ポップアップメニュー６４で設定されたフォルダに保存する。
【００３６】
図４は、プレビューボタン６６を押下した後に、原稿台に置かれている原稿２０の状態が原稿台プレビュー画面表示部５０に表示されている読取設定画面Ｄ１を示す図である。
【００３７】
図４は、仮に、原稿２０がフチあり写真であると想定し、スキャナ１０がフチあり写真の領域を正しく検知できずに、フチあり写真の画像領域を原稿領域と判断した場合の状態を示す図である。
【００３８】
斜線領域５４は、原稿２０の画像領域である。原稿認識領域５２（破線）は、スキャナ１０が原稿２０であると認識した領域であり、読取領域５３（一点鎖線）は、スキャナ１０が原稿２０であると認識した領域に基づいて、スキャナドライバ３５が設定した読取領域である。
【００３９】
図５は、図４に示す読取領域を変更するために、読取領域調整ボタン６７を押下し、読取領域５３を原稿領域５１に合わせた状態を示す図である。
【００４０】
原稿認識領域５２（破線）は、スキャナ１０が原稿２０であると認識した領域であり、読取領域５３（一点鎖線）は、ユーザが変更した読取領域である。図５において、スキャンボタン６８を押下すると、ユーザによる変更後の読取領域５３を読み取るように、スキャナ１０に指示する。また、スキャナ１０が原稿２０であると認識した領域（原稿認識領域５２）と、ユーザによって変更された読取領域（読取領域５３）とを対応付けて、履歴として保存する。この処理については、後述する。
【００４１】
図６は、任意のフチあり写真を原稿台に再度置いて、プレビューボタン６６を押下し、原稿台プレビュー画面表示部５０が表示されたときの状態を示す図である。
【００４２】
原稿認識領域５２（破線）は、スキャナ１０が原稿領域であると認識した領域を示し、図４に示す原稿認識領域５２（破線）の領域と同じである。読取領域５３（一点鎖線）は、スキャナドライバ３５がスキャナ１０によって認識された原稿領域を履歴に基づいて、変更した上で、設定した読取領域を示す。この処理については後述する。
【００４３】
図７は、ユーザが読み取り設定画面Ｄ１において、プレビューボタン６６を押してから、原稿２０を読み取るまでの処理を示すフローチャートである。
【００４４】
ユーザが、読み取り設定画面Ｄ１において、プレビューボタン６６を押すと、Ｓ１で、原稿台の全領域を読み取り（プレスキャンし）、Ｓ２で、プレスキャンした結果に基づいて、原稿台に置かれている原稿２０の領域を検知する。Ｓ３では、Ｓ２で認識した原稿２０の領域（図３又は図４の原稿認識領域５２）を取得する。
【００４５】
Ｓ４で、変更操作履歴テーブルファイルを検索する。変更操作履歴テーブルファイルは、Ｓ３で取得した原稿２０の領域に基づいて、スキャナドライバ３５が自動的に設定した読取領域をユーザが変更したときの操作履歴が、保存されている。Ｓ５では、Ｓ４で検索した結果に基づいて、変更操作履歴テーブルファイルがあるかどうかを判断する。変更操作履歴テーブルファイルがないと判断すると、Ｓ１０に進む。
【００４６】
変更操作履歴テーブルファイルがあると判断すると、Ｓ６では、Ｓ３で取得した原稿領域に対応する操作履歴を検索する。Ｓ７では、Ｓ６で検索した結果に基づいて、対応する操作履歴があるか否かを判断する。操作履歴がないと判断すると、Ｓ１０に進む。操作履歴があると判断すると、Ｓ８に進む。Ｓ８では、Ｓ３で取得した原稿領域に対応する操作履歴を取得する。
【００４７】
Ｓ９では、Ｓ８で取得した操作履歴に基づいて、Ｓ３で取得した原稿領域を変更する。Ｓ１０では、Ｓ３で取得した領域又はＳ９で変更した領域を、原稿領域として決定する。Ｓ１１で、原稿台のプレビューと共にＳ１０で決定した原稿領域に基づいた読取領域（図３又は図４の読取領域５３）を画面に表示する。Ｓ１２で、ユーザは、原稿２０を読み取る領域を設定する。
【００４８】
Ｓ１１で表示した読取領域でよければ、スキャンボタン６８を押す。Ｓ１１で表示した読取領域を変更したければ、読取領域調整ボタン６７を押し、所望の領域を画面上で指定した後に、スキャンボタン６８を押す。Ｓ１３では、Ｓ１２で設定した読取領域に基づいて、スキャンする（本スキャンする）。Ｓ１４では、ユーザがＳ１０で決定した原稿領域をＳ１２で変更したか否かを、判断する。変更していないと判断すると終了する。変更したと判断すると、Ｓ１５に進む。
【００４９】
Ｓ１５では、Ｓ３で取得した原稿２０の領域（図５の原稿認識領域５２）と、Ｓ１２で設定した読取領域（図５の読取領域５３）とに関する情報を、操作履歴として、変更操作履歴テーブルファイルに保存する。既にＳ３で取得した原稿２０の領域に操作履歴が存在する場合、操作履歴を上書きする。
【００５０】
図８は、図７のＳ６又はＳ１５で参照する変更操作履歴テーブルファイルの構造を示す図である。
【００５１】
変更操作履歴テーブルファイルは、プレスキャンによってスキャナ１０が認識した原稿２０の領域と、この領域に基づいて、スキャナドライバ３５が自動的に設定した読取領域を、ユーザが変更したときの変更後の読取領域とが対応付けて格納されている。なお、プレスキャンによってスキャナ１０が認識した原稿２０の領域は、図５に示す原稿認識領域５２であり、ユーザが変更したときの変更後の読取領域は、図５に示す読取領域５３の領域である。
【００５２】
格納されるパラメータには、操作履歴の総数と、変更領域と、変更前領域座標と、変更後領域座標とが含まれている。上記変更領域は、スキャナ１０が認識した原稿２０の縦と横のサイズである。上記変更前領域座標は、スキャナ１０が認識した原稿２０の領域の左上と右下との座標値である。上記変更後領域座標は、ユーザによる変更後の読取領域の左上と右下との座標である。
【００５３】
スキャナドライバ３５は、スキャナ１０が認識した原稿２０の縦と横とのサイズに基づいて、対応する操作履歴を検索する。検索時は、スキャナ１０が原稿２０を認識する精度に基づいて、その誤差を考慮する。
【００５４】
画像読取システムは、単体の装置ではなく、ＰＣとスキャナ１０とが特定の双方向インタフェースで接続されているが、この例に限られず、このようなＰＣとスキャナ１０との機能が一体となっている装置一体型の画像読取システムに適用することができる。
【００５５】
上記実施例によれば、オートクロップ機能で検知した原稿の領域を、ユーザが変更すると、その操作履歴を保持し、蓄積した操作履歴に基づいて、オートクロップ機能で検知した原稿領域を変更することができる。
【００５６】
また、設定した制御パラメータを設定履歴として格納することができ、原稿読取手段が原稿を読み取るための制御パラメータを、設定履歴に基づいて、変更することができる。
【００５７】
また、自動的に設定した原稿読取手段が読み取る領域を、ユーザに通知することができ、自動的に設定した原稿読取手段によって読み取る領域を変更することができ、自動的に設定した原稿読取手段が読み取る領域を、ユーザが変更したか否かを判断できる。
【００５８】
さらに、原稿台の原稿の領域を検知した結果と、ユーザが変更した原稿読取手段によって読み取る領域とを対応付けて設定履歴として格納でき、また、原稿台の原稿の領域を検知した結果に対応する設定履歴を検索し、取得できる。
【００５９】
そして、原稿台の原稿の領域を検知した結果と、設定履歴とに基づいて、自動的に設定する原稿読み取り手段によって、読み取る領域を変更することができる。
【００６０】
つまり、上記実施例は、画像読取装置とデータ処理装置とが、所定の通信媒体を介して、通信可能である画像読取システムにおいて、原稿台の原稿の領域を検知する原稿領域検知手段と、原稿台の特定の領域を読み取る原稿読取手段とを有する。また、上記実施例は、上記原稿読取手段が読み取った結果に基づいて、画像データを生成する画像データ生成手段と、上記原稿読取手段が原稿を読み取るための制御パラメータを設定する制御パラメータ設定手段とを有する。さらに、上記実施例は、上記制御パラメータ設定手段が設定した設定の履歴を格納する設定履歴格納手段と、上記設定履歴格納手段が格納した設定履歴を取得する設定履歴取得手段とを有する。そして、上記実施例は、上記設定履歴取得手段が取得した設定履歴に基づいて、上記原稿読取手段が原稿を読み取るための制御パラメータを補正する制御パラメータ変更手段を有する画像読取システムの例である。
【００６１】
この場合、上記制御パラメータ設定手段は、上記原稿読取手段が読み取る領域を設定する読取領域設定手段を有する手段である。また、上記読取領域設定手段は、上記原稿領域検知手段が検知した領域に基づいて、上記原稿読取手段が読み取る領域を自動的に設定する自動読取領域設定手段と、上記自動読取領域設定手段が設定した読取領域を、ユーザに通知する読取領域通知手段とを有する。そして、上記読取領域設定手段は、上記自動読取領域設定手段が設定した読取領域を、変更するための自動読取領域変更手段を有する。さらに、上記設定履歴格納手段は、上記自動読取領域変更手段が読取領域を変更したか否かを判断する自動読取領域変更判断手段を有する。また、上記設定履歴格納手段は、上記自動読取領域変更判断手段が判断した判断結果に基づいて、上記原稿領域検知手段が検知した領域と、上記自動読取領域変更手段が変更した読取領域とを対応付けて格納する自動読取領域変更設定履歴格納手段を有する。上記設定履歴取得手段は、上記原稿領域検知手段が検知した領域と対応する設定履歴を検索する検知領域対応設定履歴検索手段と、上記検知領域対応設定履歴検索手段が検索した検索結果に基づいて、設定履歴を取得する検知領域対応設定履歴取得手段とを有する。
【００６２】
そして、上記制御パラメータ変更手段は、上記原稿領域検知手段が検知した領域と、上記検知領域対応設定履歴取得手段が取得した設定履歴とに基づいて、上記自動読取領域設定手段が自動的に設定する読取領域を、変更する自動読取領域変更手段とを有する。
【００６３】
また、上記実施例を方法の発明として把握することができる。つまり、上記実施例は、画像読取装置とデータ処理装置とが、所定の通信媒体を介して、通信可能である画像読取システムの制御方法において、原稿台の原稿の領域を検知する原稿領域検知工程と、原稿台の特定の領域を読み取る原稿読取工程とを有する。そして、上記実施例は、上記原稿読取工程で読み取った結果に基づいて、画像データを生成する画像データ生成工程と、上記原稿読取工程で原稿を読み取るための制御パラメータを設定する制御パラメータ設定工程とを有する。さらに、上記実施例は、上記制御パラメータ設定工程で設定した設定の履歴を格納する設定履歴格納工程と、上記設定履歴格納工程で格納した設定履歴を取得する設定履歴取得工程とを有する。加えて、上記実施例は、上記設定履歴取得工程で取得した設定履歴に基づいて、上記原稿読取工程で原稿を読み取るための制御パラメータを変更する制御パラメータ変更工程を有する。
【図面の簡単な説明】
【００６４】
【図１】本発明の実施例１である画像読取システムＲＳ１の概略構成を示すブロック図である。
【図２】実施例１において、オートクロップ機能によって原稿の領域を検知し、この検知結果に基づいて、読み取る領域を自動的に設定する処理の概略を示す図である。
【図３】スキャナ１０による読み取り動作を制御するパラメータを、ユーザから受け付けるための読み取り設定画面Ｄ１を示す図である。
【図４】プレビューボタン６６を押下した後に、原稿台に置かれている原稿２０の状態が、原稿台プレビュー画面表示部５０に表示されている読取設定画面Ｄ１を示す図である。
【図５】図４に示す読取領域を変更するために、読取領域調整ボタン６７を押下し、読取領域を原稿領域に合わせた状態を示す図である。
【図６】再度任意のフチあり写真を原稿台に置いて、プレビューボタン６６を押下し、原稿台プレビュー画面表示部５０が表示されたときの状態を示す図である。
【図７】ユーザが読み取り設定画面Ｄ１において、プレビューボタン６６を押してから、原稿２０を読み取るまでの処理を示すフローチャートである。
【図８】図７のＳ６又はＳ１５で参照する変更操作履歴テーブルファイルの構造を示す図である。
【符号の説明】
【００６５】
１０…スキャナ、
１１…読取部、
１２…読取制御部、
１３…Ｉ／Ｆ制御部、
２０…原稿、
３０…データ処理装置、
３１…情報通知部、
３２…中央制御部、
３３…Ｉ／Ｆ制御部、
３４…入力操作部、
３５…スキャナドライバ、
Ｄ１…読み取り設定画面、
５０…原稿台プレビュー画面表示部、
６２…原稿２０の種類設定ポップアップメニュー、
６３…解像度設定ポップアップメニュー、
６４…保存フォルダ設定ポップアップメニュー、
６５…フォーマット設定ポップアップメニュー、
６６…プレビューボタン、
６７…読取領域調整ボタン、
６８…スキャンボタン、
５１…原稿領域、
５２…原稿認識領域、
５３…読取領域、
５４…原稿２０の画像領域。
【図１】
2008263275.tif 000003
【図２】
2008263275.tif 000004
【図３】
2008263275.tif 000005
【図４】
2008263275.tif 000006
【図５】
2008263275.tif 000007
【図６】
2008263275.tif 000008
【図７】
2008263275.tif 000009
【図８】
2008263275.tif 000010